(57)【要約】  多数の外板要素（２）を含んでいる、隔壁要素である壁面要素（１）であって、前記多数の外板要素（２）は垂直面（３）に沿って相互接続され、そして一つ以上の壁面区画（４）を備えており、前記壁面区画（４）は対称な水平面（５）に関して対称である、壁面要素（１）において、前記外板要素（２）の前記壁面区画（４）各々が異なる厚さを有している。
2008505266.tif 000002
【特許請求の範囲】
【請求項１】
多数の外板要素（２）を含んでいる、隔壁要素である壁面要素（１）であって、前記多数の外板要素（２）は垂直面（３）に沿って相互接続され、そして一つ以上の壁面区画（４）を備えており、前記壁面区画（４）は対称な水平面（５）に関して対称である、壁面要素（１）において、
前記外板要素（２）の前記壁面区画（４）各々が異なる厚さを有していることを特徴とする、壁面要素。
【請求項２】
前記垂直面（３）が垂直相補接合面であることを特徴とする、請求項１に記載の壁面要素。
【請求項３】
前記垂直面（３）が対称な垂直面であることを特徴とする、請求項１に記載の壁面要素。
【請求項４】
前記壁面区画（４）の少なくとも一つが、スクリーンプレートを備えていることを特徴とする、請求項１〜３のいずれか一項に記載の壁面要素。
【請求項５】
前記壁面区画（４）の少なくとも一つが、開口区画を備えていることを特徴とする、請求項１〜３のいずれか一項に記載の壁面要素。
【請求項６】
前記壁面区画（４）の少なくとも一つが、多数のリブを備えていることを特徴とする、請求項１〜３のいずれか一項に記載の壁面要素。
【請求項７】
前記リブの断面形状が楕円であることを特徴とする、請求項６に記載の壁面要素。
【請求項８】
前記リブの楕円の主軸が前記垂直面（４）に対して直交していることを特徴とする、請求項６又は７に記載の壁面要素。
【請求項９】
請求項１〜８のいずれか一項に記載の壁面要素（１）を作る方法であって、
外板要素がプラスチック材料で成形されていることを特徴とする、壁面要素を作る方法。
【発明の詳細な説明】
【技術分野】
【０００１】
本発明は、多数の外板要素を含んでいる、隔壁要素である壁面要素に関するものであって、前記多数の外板要素は垂直面に沿って相互接続され、そして一つ以上の壁面区画を備えており、前記壁面区画は対称な水平面に関して対称である、壁面要素において、前記外板要素の前記壁面区画各々が異なる厚さを有している。
【０００２】
本発明は壁面要素を作る方法にも関する。
【背景技術】
【０００３】
多くの動物が入っているきゅう舎における快適な生活に関して、内部の環境は重要なものである。従って、換気装置が設置され、きゅう舎内部の空気を交換できるようになっている。
【０００４】
この換気装置において、モータが、空気を交換するためのベンチレータ及び／又はブロワーを駆動するために取り付けられている。好ましい内部環境を得るために、ベンチレータ及び／又はブロワーは一日の２４時間のほとんどの間運転されていて、電力費用は高価なものとなっている。
【０００５】
現在のきゅう舎において、種々の動物が個別に、又は小集団で居ることができるように隔壁が設置されている。隔壁はきゅう舎の床に取り付けられた壁面要素から構成されている。残念なことに、壁面要素はきゅう舎を通過する空気の流れを妨げるようになっている。実際のところ、きゅう舎内のある区画では、空気の交換が行なわれておらず、この区画の動物にとっては不具合なものとなっている。
【０００６】
きゅう舎内の空気の交換を確実なものにするために、きゅう舎に設置された、換気ユニット又は大型ベンチレータ及び／又はブロワーにより新鮮な空気が送り込まれていて、従って消費電力も増大している。
【０００７】
壁面要素を格子構造にすると、空気流れは比較的妨害されない。格子構造は、通常さび止め又は表面塗装された金属で作られているので、安定した環境に反するものとなっている。
【０００８】
金属製格子構造で作られた壁面要素の欠点は、きゅう舎全体に前述の壁面要素を設置することは高価のものとなることである。さらに、金属製の格子構造で作られた壁面要素は動物にとって快適なものではない。というのは動物が金属製ロッド上を歩いたり、けったり、かみついたりすると傷つくからである。
【０００９】
さらに空気交換に必要な大型換気装置の欠点は、きゅう舎内において動物にとって不適切な隙間風を発生することである。
【００１０】
必要とされる空気をきゅう舎の区切られた区画に発生させるような穴を備えた、樹脂性プラスチック材料の壁面要素を作ることも可能である。
【００１１】
そのような壁面要素が特許文献１に開示されていて、壁面要素は二つの外板要素から作られており、多数の細長い穴が壁面要素に形成されていて、壁面要素は、各々が凸断面の四つの端面を有していて汚物及び液体が端面に吸収されるようになっている。空気は、多数の細長い穴を備えている壁面要素を通過するようになっているけれども、装置の端面の構造が空気流れを低減するものとなっている。
【００１２】
特許文献２が壁面要素を開示していて、壁面要素は対称な水平面に関して対称に配置された上方及び下方壁面区画を備えている。上方壁面区画は閉じられるか、又は金属製格子構造であって、一方下方壁面区画は閉じられ、そして多数の平行な支柱で作られている。この壁面要素は前述の欠点のいくつかを有している。
【特許文献１】欧州特許第０８７２１７７号明細書
【特許文献２】仏国特許出願公開第７１２７７２号明細書
【発明の開示】
【発明が解決しようとする課題】
【００１３】
本発明の目的は、製作及び組立が簡単でかつ融通のきく構造であり、同時に多量の空気流れを可能にする壁面要素を提供することである。
【課題を解決するための手段】
【００１４】
この目的は、請求項１に規定された壁面要素により達成されていて、外板要素の壁面区画各々は異なる厚さを有している。
【００１５】
本発明による壁面要素は多数の外板要素、好ましくは二つの外板要素から構成されていて外板要素は垂直面に沿って相互接続されており、その垂直面は垂直相補接合面（a vertical complementary plane）又は対称な垂直面（a vertical plane of symmetry）のどちらかである。
【００１６】
外板要素が対称な垂直面に接続されていると、外板要素の形状は同一なものであって、壁面要素の二つの側面は同一なものとなっている。このことは、対称な垂直面の両側で適切な寸法変更を可能にしている。
【００１７】
外板要素が垂直相補接合面に接続されていると、外板要素の形状はほぼ同一であるが、壁面要素の両側面は非対称である。同一であるけれど非対称な形状の例は、例えば長方形に組立てることのできる二つの三角形であって、一方異なる形状の外板要素の例は、外板要素に合っているプレートを備えた湾曲した外板要素である。
【００１８】
外板要素は、対称な水平面に関して非対称な一つ以上の壁面区画を備えていて、壁面要素は異なる形状を有しており、大量の空気がそこを通過して流れることを可能にしている。壁面区画は対称な水平面に関して対称であって、壁面区画Ａ及び壁面区画Ｂが壁面区画Ａ及び壁面区画Ｂそれぞれに並列になるように壁面要素を組み立てることを可能にしている。外板要素の一方を１８０°回転して、そのことにより壁面区画Ａ及びＢが壁面区画Ｂ及びＡそれぞれに並行にすることができる。
【００１９】
これらの壁面区画には異なる機能を持たせることができて、外板要素の壁面区画各々が異なる厚さを有していて、従って壁面要素が、例えば二つの外板要素が接続された場合長方形断面又はより広い下方部分とより狭まい上方部分とを有するようになっている。
【００２０】
きゅう舎は、異なる動物を隔離するために隔壁により分割されている。ある場合、区画同士が見えること、又は区画間の往来できることは許されていない。従って、前記壁面区画の少なくとも一つはスクリーンプレートになっている。
【００２１】
他の場合、区画同士が見えることが所望されていて、従ってきゅう舎の隣接した区画を見ることができあるいは全区画を見わたせることができるようになっている。従って、壁面区画の少なくとも一方は開放区画となっていて、同時に自由空気がきゅう舎内を流れるようになっている。
【００２２】
壁面要素を介して空気が流れ、同時に動物がきゅう舎における区画間を往来しないようにするために、前記壁面区画の少なくとも一つが、好ましくは等間隔で配置された多数のリブを備えている。
【００２３】
リブは、きゅう舎における動物に応じて、等間隔に配置されていなくてもよい。例えば、壁面要素が牛及び／又は馬の場合は羊及び／又は豚の場合に比較してリブの間隔は広くてよい。
【００２４】
豚は好奇心が強く有害であるので、豚用の壁面要素におけるリブは、豚が鼻をリブの間に押し込み、鼻がはさまれないように、又はリブをかんで破壊しないようになっている。
【００２５】
しかしながら、リブは、きゅう舎内の空気流れをさまたげるような密な間隔であってはならない。従って、本発明による壁面要素において、リブ間の間隔は異なるものとなっていて、きゅう舎における動物に応じた壁面要素が入手できるようになっている。
【００２６】
その前面において、豚がリブを破損しないようにリブの間隔を狭まくすることは好適なことである。しかしながら、リブ間の間隔が広いと、豚がリブをかんで傷つくリスクはなくなる。従って、リブ間の間隔が広いリブを備えた壁面要素は好適なものである。というのは、作るのに要する材料が少ないからである。合わせて、リブの洗浄が容易なものとなり、きゅう舎内部により多くの光が入るようになる。
【００２７】
本発明の好適な実施形態において、リブは一つの第一外板要素に備えられていて、従って第一外板要素がリブ一式を備えるようになっていて、そして第一外板要素は第二外板要素に接続されており、第二外板要素には開口区画を備えた壁面区画があって、その壁面区画は、第一外板要素におけるリブを備えた壁面区画と対向している。
【００２８】
本発明における別の実施形態において、リブが二つの部分に分割されていて、リブの第一部分は第一外板要素に備えられていて、リブの第二部分は第二外板要素に備えられており、その場合外板要素を壁面要素の中に組み立てる際に、リブが組み込まれる。しかしながら、このことはリブの二つの部分を同時に外板要素に組み込まなければならず、時間を要するかも知れない。
【００２９】
種々の構造のリブを試験の結果、以下のことが判明した。空気が最もよくリブを通過することができるのは、リブの断面形状が楕円形の場合であって、そしてリブが水平又は垂直に配置されているかどうかには関係なく、リブの主軸が垂直平面に直交している場合である。
【００３０】
リブが楕円形状であって、その楕円の主軸が前記垂直平面に直交しているので、空気流れが壁面要素に当たっても、直接的な空気抵抗作用はない。その代わり、空気流れは楕円形状に沿ってリブ周囲をガイドされ、その結果ほぼ層流がリブを備えた壁面要素の壁面区画を通過してゆく。
【００３１】
楕円のリブを用いることにより以下の利点がある。
・空気力学的に最適な格子形状が最適な空気流れを提供していて、従ってオーバル状の    穴を備えた壁面要素と比較してより多くの空気流れとなっている。
・きゅう舎内部へ入射する光の量の改善
・きゅう舎を監視することの改善
・リブが通常作用を受ける方向に対して剛であること。
【００３２】
壁面要素をさえぎることも、開口とすることもできるので、外板要素を例えば以下のような種々の組合せにすることができる。
・下方壁面区画にリブを備え上方壁面区画を開口にする。
・上方及び下方壁面区画にリブを備える。
・下方壁面区画をさえぎり、上方壁面区画にリブを備える。
・上方及び下方壁面区画をさえぎる。
・その他
【００３３】
壁面要素を形成するために、外板要素は別の外板要素と接続され、従って種々の組合せが可能になる。例えば、下方壁面区画にリブを備え、そして開口した上方壁面区画を備えた第一外板要素そして開口した上方壁面区画と下方壁面区画とを備えた第二外板要素。従って下方壁面区画にリブを備え上方壁面区画は開口している壁面要素が形成される。
【００３４】
外板要素は、例えば射出成形によりプラスチック材料で成形される。プラスチック材料で作られた外板要素から構成された壁面要素は洗浄が簡単できゅう舎の環境に対して耐性がある。
【００３５】
添付図面を参照して本発明を詳述する。
【発明を実施するための最良の形態】
【００３６】
図１は、垂直相補接合面３を囲んで接続された二つの外板要素２を含んでいる壁面要素１を図示している。
【００３７】
図２は、壁面区画４として設計された、前面２Ａと背面２Ｂとを備えた外板要素２であって、壁面区画４は対称な水平面５に関して対称である。ここでは、開口した上方壁面区画４Ａと下方壁面区画４Ｂとを備えた外板要素が図示されていて、下方壁面区画４Ｂはリブ６を備えていて、この場合横断リブ６Ａがあってリブ６が長過ぎて不安定になることを回避するようになっている。
【００３８】
図３は、リブ６が楕円形状であり、そしてリブ６は、楕円の主軸（図示せず）が外板要素の垂直面（図示せず）に対して直交するように設置されていて、従って空気抵抗は低減され、そして空気流れはほぼ層流として壁面区画４Ｂを通過するようになっている。
【図面の簡単な説明】
【００３９】
【図１】図１は、本発明による壁面要素を図示している。
【図２】図２は、本発明による外板要素の斜視図である。
【図３】図３は、本発明によるリブの詳細図である。
【図１】
2008505266.tif 000003
【図２】
2008505266.tif 000004
【図３】
2008505266.tif 000005
【国際調査報告】
2008505266.tif 000006
2008505266.tif 000007